(57)【要約】      （修正有）【課題】管理者が望む印刷設定を、ユーザに煩雑な印刷設定を行わせることなく選択させることの出来る画像形成装置、画像形成システム、その制御方法及びプログラムを提供する。【解決手段】ブラウザ機能を有する画像形成装置と、印刷対象データと印刷設定情報とを記憶する情報管理装置とを含む画像形成装置システムであって、前記画像形成装置は、ユーザ識別情報取得して前記情報管理装置に送信し、前記情報管理装置より受信する画面情報を表示画面に表示する。ユーザからの印刷設定の選択を受け付け、選択結果の情報を前記情報管理装置に送信し、情報管理装置から取得した情報に基づいて、印刷を実行する。前記情報管理装置は、受信したユーザ識別情報に対応する印刷対象データと、印刷対象データを印刷するための印刷設定情報の候補を特定する。前記印刷対象データと印刷設定の候補を選択可能な画面情報を画像形成装置に送信する。【選択図】図５
2013239046.tif 000002
【特許請求の範囲】
【請求項１】
ブラウザ機能を有する画像形成装置と、画像形成装置と通信可能に接続され、印刷対象のデータである印刷対象データと、印刷設定の情報である印刷設定情報とを記憶する情報管理装置とを含む画像形成装置システムであって、
前記画像形成装置は、
ユーザ識別情報を取得するユーザ識別情報取得手段と、
前記ユーザ識別情報取得手段で取得したユーザ識別情報を、前記情報管理装置に送信するユーザ識別情報送信手段と、
前記情報管理装置より受信する画面情報を表示画面に表示する表示手段と、
ユーザからの印刷設定の選択を受け付ける選択受付手段と、
前記選択受付手段で受け付けた選択結果の情報を、前記情報管理装置に送信する選択結果送信手段と、
前記情報管理装置から取得した情報に基づいて、印刷を実行する印刷実行手段と、
を備え、
前記情報管理装置は、
前記ユーザ識別情報送信手段で送信されたユーザ識別情報を受信するユーザ識別情報受信手段と、
前記ユーザ識別情報受信手段で受信したユーザ識別情報に対応する前記印刷対象データと、前記印刷対象データを印刷するための印刷設定情報であって、ユーザに選択させる印刷設定の候補である印刷設定情報とを特定する特定手段と、
前記特定手段で特定した、前記印刷対象データと印刷設定情報とを用いて生成された印刷設定を選択可能な画面情報を、前記画像形成装置に送信する画面情報送信手段と、
前記選択結果送信手段で送信された前記選択結果を受けて、前記画像形成装置で前記選択結果に応じた印刷を実現するための情報を送信する送信手段と、
を備えることを特徴とする画像形成システム。
【請求項２】
印刷対象のデータである印刷対象データと、前記印刷対象データを印刷するための印刷設定の情報である印刷設定情報とを記憶する情報管理装置と通信可能に接続される、ブラウザ機能を有する画像形成装置であって、
ユーザ識別情報を取得するユーザ識別情報取得手段と、
前記ユーザ識別情報取得手段で取得したユーザ識別情報を、前記情報管理装置に送信するユーザ識別情報送信手段と、
前記ユーザ識別情報送信手段でユーザ識別情報を送信したことにより受信した、前記印刷対象データの情報と印刷設定情報とを用いて生成された、印刷設定を選択可能な画面情報を表示画面に表示する表示手段と、
ユーザからの印刷設定の選択を受け付ける選択受付手段と、
前記選択受付手段で受け付けた選択結果の情報を、前記情報管理装置に送信することで取得した情報に基づいて、印刷を実行する印刷実行手段と、
を備えることを特徴とする画像形成装置。
【請求項３】
前記画面情報は、前記印刷対象データの選択を受け付ける印刷対象データ選択受付部と、前記印刷対象データを印刷するために用いる印刷設定選択指示受付部と、から成ることを特徴とする請求項２に記載の画像形成装置。
【請求項４】
前記印刷設定選択指示受付部は、ユーザからの選択指示を受け付けるボタンであることを特徴とする請求項３に記載の画像形成装置。
【請求項５】
前記画面情報は、前記情報管理装置において前記印刷設定情報が複数ある場合には、複数の印刷設定情報から前記印刷対象データの印刷に用いる印刷設定を選択可能な選択肢を含んで構成されることを特徴とする請求項２乃至４のいずれか１項に記載の画像形成装置。
【請求項６】
前記選択肢は、ユーザからの選択指示を受け付けるプルダウン形式の選択受付部であることを特徴とする請求項５に記載の画像形成装置。
【請求項７】
前記印刷対象データの印刷に用いる印刷設定の変更指示を受け付ける印刷設定変更指示受付手段と、
前記印刷設定変更指示受付手段で受け付けた変更指示により変更された印刷設定情報を、前記情報管理装置に送信する変更設定情報送信手段と
を備えることを特徴とする請求項２乃至６のいずれか１項に記載の画像形成装置。
【請求項８】
ブラウザ機能を有する画像形成装置と通信可能に接続される、印刷対象のデータである印刷対象データと、印刷設定の情報である印刷設定情報とを記憶する情報管理装置であって、
前記画像形成装置からユーザ識別情報を受信するユーザ識別情報受信手段と、
前記ユーザ識別情報受信手段で受信したユーザ識別情報に対応する前記印刷対象データと、前記印刷対象データを印刷するための印刷設定情報であって、ユーザに選択させる印刷設定の候補である印刷設定情報とを特定する特定手段と、
前記特定手段で特定した、前記印刷対象データと印刷設定情報とを用いて生成された、印刷設定を選択可能な画面情報を、前記画像形成装置に送信する画面情報送信手段と、
印刷に用いる印刷設定の選択結果の情報を受信する選択結果受信手段と、
前記画像形成装置で、前記選択結果受信手段で受信した選択結果の情報に応じた印刷を実現するための情報を送信する送信手段と、
を備えることを特徴とする情報管理装置。
【請求項９】
前記選択結果の情報に応じた印刷を実現するための情報は、前記選択結果受信手段で受信した選択結果の情報に対応する印刷設定情報と、印刷の対象となる前記印刷対象データの格納場所を示す情報であることを特徴とする請求項８に記載の情報管理装置。
【請求項１０】
前記画像形成装置で受け付けた印刷設定の変更指示の内容を受信する変更情報受信手段
を備え、
前記変更情報受信手段で前記変更指示の内容を受信した場合、前記選択結果の情報に応じた印刷を実現するための情報は、前記変更情報受信手段で前記変更指示の内容の示す印刷設定と、印刷の対象となる前記印刷対象データの格納場所を示す情報であることを特徴とする請求項８又は９に記載の情報管理装置。
【請求項１１】
前記印刷設定情報は、前記ユーザ識別情報と対応付けて記憶されていることを特徴とする請求項８乃至１０のいずれか１項に記載の情報管理装置。
【請求項１２】
前記印刷設定情報は、授業を示す情報である授業情報と対応付けて記憶されていることを特徴とする請求項８乃至１１のいずれか１項に記載の情報管理装置。
【請求項１３】
前記画像形成装置にログインしたユーザのユーザ識別情報に対応した印刷設定情報、又は前記画像形成装置にログインしたユーザに関連する授業情報に対応した印刷設定情報と、前記画像形成装置にログインしたユーザが印刷可能な印刷対象データの情報を用いて、前記画面情報を生成する画面情報生成手段
を備えることを特徴とする請求項８乃至１２のいずれか１項に記載の情報管理装置。
【請求項１４】
前記画面情報生成手段は、
前記情報管理装置に記憶された印刷設定情報であって、同じユーザ識別情報、又は同じ前記授業情報に対応した印刷設定情報が複数ある場合に、複数ある印刷設定の中から利用する印刷設定を選択させるべく、印刷設定情報の選択肢を含む画面情報を生成することを特徴とする請求項１３に記載の情報管理装置。
【請求項１５】
前記画面情報生成手段は、
前記情報管理装置に記憶された印刷設定情報であって、同じユーザ識別情報、又は同じ前記授業情報に対応した印刷設定情報が複数ある場合に、複数ある印刷設定に対応するボタンを含む画面情報を生成することを特徴とする請求項１３又は１４に記載の情報管理装置。
【請求項１６】
前記送信手段は、前記選択結果の情報に応じた印刷を実現するための情報を、ＳＯＡＰメッセージで送信することを特徴とする請求項８乃至１５のいずれか１項に記載の情報管理装置。
【請求項１７】
前記画像形成装置より、印刷する印刷対象データを特定するための情報を受信する特定情報受信手段と、
前記特定情報受信手段で受信した、前記印刷する印刷対象データを特定するための情報を用いて特定される印刷対象データを、ＰＤＦ形式のデータに変換する変換手段と、
を備えることを特徴とする請求項８乃至１６のいずれか１項に記載の情報管理装置。
【請求項１８】
ブラウザ機能を有する画像形成装置と、画像形成装置と通信可能に接続され、印刷対象のデータである印刷対象データと、印刷設定の情報である印刷設定情報とを記憶する情報管理装置とを含む画像形成装置システムの制御方法であって、
前記画像形成装置の、
ユーザ識別情報取得手段が、ユーザ識別情報を取得するユーザ識別情報取得工程と、
ユーザ識別情報送信手段が、前記ユーザ識別情報取得工程で取得したユーザ識別情報を、前記情報管理装置に送信するユーザ識別情報送信工程と、
表示手段が、前記情報管理装置より受信する画面情報を表示画面に表示する表示工程と、
ユーザからの印刷設定の選択を受け付ける選択受付工程と、
選択結果送信手段が、前記選択受付工程で受け付けた選択結果の情報を、前記情報管理装置に送信する選択結果送信工程と、
印刷実行手段が、前記情報管理装置から取得した情報に基づいて、印刷を実行する印刷実行工程と、
を含み、
前記情報管理装置の、
ユーザ識別情報受信手段が、前記ユーザ識別情報送信工程で送信されたユーザ識別情報を受信するユーザ識別情報受信工程と、
特定手段が、前記ユーザ識別情報受信工程で受信したユーザ識別情報に対応する前記印刷対象データと、前記印刷対象データを印刷するための印刷設定情報であって、ユーザに選択させる印刷設定の候補である印刷設定情報とを特定する特定工程と、
画面情報送信手段が、前記特定工程で特定した、前記印刷対象データと印刷設定情報とを用いて生成された印刷設定を選択可能な画面情報を、前記画像形成装置に送信する画面情報送信工程と、
送信手段が、前記選択結果送信工程で送信された前記選択結果を受けて、前記画像形成装置で前記選択結果に応じた印刷を実現するための情報を送信する送信工程と、
を含むことを特徴とする画像形成システムの制御方法。
【請求項１９】
ブラウザ機能を有する画像形成装置と、画像形成装置と通信可能に接続され、印刷対象のデータである印刷対象データと、印刷設定の情報である印刷設定情報とを記憶する情報管理装置とを含む画像形成装置システムで実行が可能なプログラムであって、
前記画像形成装置を、
ユーザ識別情報を取得するユーザ識別情報取得手段と、
前記ユーザ識別情報取得手段で取得したユーザ識別情報を、前記情報管理装置に送信するユーザ識別情報送信手段と、
前記情報管理装置より受信する画面情報を表示画面に表示する表示手段と、
ユーザからの印刷設定の選択を受け付ける選択受付手段と、
前記選択受付手段で受け付けた選択結果の情報を、前記情報管理装置に送信する選択結果送信手段と、
前記情報管理装置から取得した情報に基づいて、印刷を実行する印刷実行手段として機能させ、
前記情報管理装置を、
前記ユーザ識別情報送信手段で送信されたユーザ識別情報を受信するユーザ識別情報受信手段と、
前記ユーザ識別情報受信手段で受信したユーザ識別情報に対応する前記印刷対象データと、前記印刷対象データを印刷するための印刷設定情報であって、ユーザに選択させる印刷設定の候補である印刷設定情報とを特定する特定手段と、
前記特定手段で特定した、前記印刷対象データと印刷設定情報とを用いて生成された印刷設定を選択可能な画面情報を、前記画像形成装置に送信する画面情報送信手段と、
前記選択結果送信手段で送信された前記選択結果を受けて、前記画像形成装置で前記選択結果に応じた印刷を実現するための情報を送信する送信手段として機能させることを特徴とする画像形成システムのプログラム。
【請求項２０】
印刷対象のデータである印刷対象データと、前記印刷対象データを印刷するための印刷設定の情報である印刷設定情報とを記憶する情報管理装置と通信可能に接続される、ブラウザ機能を有する画像形成装置の制御方法であって、
ユーザ識別情報取得手段が、ユーザ識別情報を取得するユーザ識別情報取得工程と、
ユーザ識別情報送信手段が、前記ユーザ識別情報取得工程で取得したユーザ識別情報を、前記情報管理装置に送信するユーザ識別情報送信工程と、
表示手段が、前記ユーザ識別情報送信工程でユーザ識別情報を送信したことにより受信した、前記印刷対象データの情報と印刷設定情報とを用いて生成された、印刷設定を選択可能な画面情報を表示画面に表示する表示工程と、
選択受付手段が、ユーザからの印刷設定の選択を受け付ける選択受付工程と、
印刷実行手段が、前記選択受付工程で受け付けた選択結果の情報を、前記情報管理装置に送信することで取得した情報に基づいて、印刷を実行する印刷実行工程と、
を含むことを特徴とする画像形成装置の制御方法。
【請求項２１】
印刷対象のデータである印刷対象データと、前記印刷対象データを印刷するための印刷設定の情報である印刷設定情報とを記憶する情報管理装置と通信可能に接続される、ブラウザ機能を有する画像形成装置で実行が可能なプログラムであって、
画像形成装置を、
ユーザ識別情報を取得するユーザ識別情報取得手段と、
前記ユーザ識別情報取得手段で取得したユーザ識別情報を、前記情報管理装置に送信するユーザ識別情報送信手段と、
前記ユーザ識別情報送信手段でユーザ識別情報を送信したことにより受信した、前記印刷対象データの情報と印刷設定情報とを用いて生成された、印刷設定を選択可能な画面情報を表示画面に表示する表示手段と、
ユーザからの印刷設定の選択を受け付ける選択受付手段と、
前記選択受付手段で受け付けた選択結果の情報を、前記情報管理装置に送信することで取得した情報に基づいて、印刷を実行する印刷実行手段として機能させることを特徴とする画像形成装置のプログラム。
【請求項２２】
ブラウザ機能を有する画像形成装置と通信可能に接続される、印刷対象のデータである印刷対象データと、印刷設定の情報である印刷設定情報とを記憶する情報管理装置の制御方法であって、
ユーザ識別情報受信手段が、前記画像形成装置からユーザ識別情報を受信するユーザ識別情報受信工程と、
特定手段が、前記ユーザ識別情報受信工程で受信したユーザ識別情報に対応する前記印刷対象データと、前記印刷対象データを印刷するための印刷設定情報であって、ユーザに選択させる印刷設定の候補である印刷設定情報とを特定する特定工程と、
画面情報送信手段が、前記特定工程で特定した、前記印刷対象データと印刷設定情報とを用いて生成された、印刷設定を選択可能な画面情報を、前記画像形成装置に送信する画面情報送信工程と、
選択結果受信手段が、印刷に用いる印刷設定の選択結果の情報を受信する選択結果受信工程と、
送信手段が、前記画像形成装置で、前記選択結果受信工程で受信した選択結果の情報に応じた印刷を実現するための情報を送信する送信工程と、
を含むことを特徴とする情報管理装置の制御方法。
【請求項２３】
ブラウザ機能を有する画像形成装置と通信可能に接続される、印刷対象のデータである印刷対象データと、印刷設定の情報である印刷設定情報とを記憶する情報管理装置で実行が可能なプログラムあって、
情報管理装置を、
前記画像形成装置からユーザ識別情報を受信するユーザ識別情報受信手段と、
前記ユーザ識別情報受信手段で受信したユーザ識別情報に対応する前記印刷対象データと、前記印刷対象データを印刷するための印刷設定情報であって、ユーザに選択させる印刷設定の候補である印刷設定情報とを特定する特定手段と、
前記特定手段で特定した、前記印刷対象データと印刷設定情報とを用いて生成された、印刷設定を選択可能な画面情報を、前記画像形成装置に送信する画面情報送信手段と、
印刷に用いる印刷設定の選択結果の情報を受信する選択結果受信手段と、
前記画像形成装置で、前記選択結果受信手段で受信した選択結果の情報に応じた印刷を実現するための情報を送信する送信手段と、
を備えることを特徴とする情報管理装置として機能させることを特徴とする情報管理装置のプログラム。
【発明の詳細な説明】
【技術分野】
【０００１】
本発明は、画像形成装置、画像形成システム、その制御方法及びプログラムに関する。
【背景技術】
【０００２】
大学の基幹システムで管理している授業資料などのデータを印刷する仕組みが存在する。最近では、学内の印刷装置の普及に伴って増加する印刷コストを削減すべく、印刷設定を、例えば２ｉｎ１やモノクロに設定して印刷させることが管理者によって望まれている。これに対し、例えば、プリンタドライバに、ユーザが必要とする印刷設定を数パターン、オブジェクトとして登録しておき、登録後は、登録済のオブジェクトの選択を受け付けることで、印刷設定を容易に変更可能とする技術が公開されている（特許文献１）。
【先行技術文献】
【特許文献】
【０００３】
【特許文献１】特開２００３−２８０８４１号公報
【発明の概要】
【発明が解決しようとする課題】
【０００４】
しかしながら、特許文献１に記載の技術においては、ユーザは、印刷設定登録、変更時に印刷に関する全項目について入力、登録を行わなければならず、手間である。
また、ユーザが登録する印刷設定は必ずしも、管理者側が望むコスト削減に繋がるものではない。
本発明は、管理者が望む印刷設定を、ユーザに煩雑な印刷設定を行わせることなく
選択させることの出来る画像形成装置、画像形成システム、その制御方法及びプログラムを提供することを目的とする。
【課題を解決するための手段】
【０００５】
本発明の画像形成システムは、ブラウザ機能を有する画像形成装置と、画像形成装置と通信可能に接続され、印刷対象のデータである印刷対象データと、印刷設定の情報である印刷設定情報とを記憶する情報管理装置とを含む画像形成装置システムであって、前記画像形成装置は、ユーザ識別情報を取得するユーザ識別情報取得手段と、前記ユーザ識別情報取得手段で取得したユーザ識別情報を、前記情報管理装置に送信するユーザ識別情報送信手段と、前記情報管理装置より受信する画面情報を表示画面に表示する表示手段と、ユーザからの印刷設定の選択を受け付ける選択受付手段と、前記選択受付手段で受け付けた選択結果の情報を、前記情報管理装置に送信する選択結果送信手段と、前記情報管理装置から取得した情報に基づいて、印刷を実行する印刷実行手段と、を備え、前記情報管理装置は、前記ユーザ識別情報送信手段で送信されたユーザ識別情報を受信するユーザ識別情報受信手段と、前記ユーザ識別情報受信手段で受信したユーザ識別情報に対応する前記印刷対象データと、前記印刷対象データを印刷するための印刷設定情報であって、ユーザに選択させる印刷設定の候補である印刷設定情報とを特定する特定手段と、前記特定手段で特定した、前記印刷対象データと印刷設定情報とを用いて生成された印刷設定を選択可能な画面情報を、前記画像形成装置に送信する画面情報送信手段と、前記選択結果送信手段で送信された前記選択結果を受けて、前記画像形成装置で前記選択結果に応じた印刷を実現するための情報を送信する送信手段と、を備えることを特徴とする。
【発明の効果】
【０００６】
本発明によれば、管理者が望む印刷設定を、ユーザに煩雑な印刷設定を行わせることなく選択させることの出来る画像形成装置、画像形成システム、その制御方法及びプログラムを提供することが出来る。
【図面の簡単な説明】
【０００７】
【図１】本発明の実施形態における、画像形成システムのシステム構成の一例を示す図
【図２】本発明の実施形態における、クライアントＰＣ、認証サーバ、印刷サーバ、情報管理サーバのハードウエア構成の一例を示す図
【図３】本発明の実施形態における、複合機のハードウエア構成の一例を示す図
【図４】本発明の実施形態における、各種装置の機能構成の一例を示す図
【図５】本発明の実施形態における、印刷可能なデータのリストを表示する処理の流れを示すフローチャート
【図６】本発明の実施形態における、印刷実行処理の流れを示すフローチャート
【図７】本発明の実施形態における、複合機の認証画面の構成の一例を示す図
【図８】本発明の実施形態における、複合機のキーボード認証画面の構成の一例を示す図
【図９】本発明の実施形態における、複合機の認証エラーダイアログの構成の一例を示す図
【図１０】本発明の実施形態における、印刷データの一覧画面の構成の一例を示す図
【図１１】本発明の実施形態における、認証情報の構成の一例を示す図
【図１２】本発明の実施形態における、ユーザ情報の構成の一例を示す図
【図１３】本発明の実施形態における、授業基礎情報の構成の一例を示す図
【図１４】本発明の実施形態における、個別授業情報の構成の一例を示す図
【図１５】本発明の実施形態における、印刷対象データの構成の一例を示す図
【発明を実施するための形態】
【０００８】
以下、図面を参照して、本発明の実施形態について説明する。まず、図１を参照して、本発明の実施形態における画像形成システムのシステム構成の一例について説明する。図１は、本発明の実施形態における、画像形成システムのシステム構成の一例を示す図である。
【０００９】
図１に示すように、本発明の画像形成システムは、複合機１００、カードリーダ１０１、クライアントＰＣ１０２、認証サーバ１０３、印刷サーバ１０４、情報管理サーバ１０５、ＬＡＮ１１０等を備えて構成されている。複合機１００は、カードリーダ１０１を備え、認証を行うことでユーザに対応した印刷対象データ、印刷ジョブのリストを表示画面に表示し、印刷対象データの選択指示を受け付ける。選択された印刷対象データと印刷設定とを情報管理サーバから受信し、印刷を実行する。
【００１０】
また、複合機１００はブラウザ機能を備えており、当該ブラウザ機能を用いて、例えば、文書管理サーバ１０５で、ｈｔｍｌ等の構造化言語で生成された印刷データの一覧画面を表示画面に表示する。
【００１１】
ここでいう印刷対象データとは、情報管理サーバ１０５に記憶された、複合機１００にて印刷されるためのデータ（資料）である。例えば、ユーザ（教員）によりアップロードされたドキュメントデータ、帳票データ、画像データ等のデータである。
【００１２】
カードリーダ１０１は、ＩＣカードが近づいたことを検知すると、当該ＩＣカードに登録されているユーザＩＤを取得し、複合機１００の認証アプリケーションに引き渡す。
【００１３】
クライアントＰＣ１０２は、印刷対象データを情報管理サーバ１０５に登録する。認証サーバ１０３は、複合機１００からユーザＩＤを受信し、ユーザ認証を行う。印刷サーバ１０４は、クライアントＰＣ１０２等から受信したＰＤＬデータ等の印刷ジョブを記憶し、管理する。また、複合機１００からのジョブ取得要求に応じて印刷ジョブのリスト、印刷ジョブを複合機１００に送信する。
【００１４】
ここでいう印刷ジョブとは、例えば、クライアントＰＣ１０２にインストールされているプリンタドライバ等により変換された、ＰＤＬデータなどの印刷用のデータである。
【００１５】
情報管理サーバ１０５は、クライアントＰＣ１０２から受信した印刷対象データを記憶し、管理する。また、複合機１００が受け付けた、印刷データの選択指示を検知し、対象となる印刷対象データの格納場所（情報管理サーバ１０５の外部メモリ等における印刷対象データの格納パス、印刷対象データの記憶場所を示すＵＲＬ等の情報）を複合機１００に送信する。
また、複合機１００が受け付けた、印刷設定の設定指示を検知し、当該指示に対応する印刷設定データを複合機１００に送信する。
【００１６】
複合機１００は、情報管理サーバ１０５より受信した印刷設定データ、印刷対象データを用いて印刷を実行する。ＬＡＮ１１０は、当該画像形成システム上の各種装置を通信可能に接続する。以上が図１の本発明の画像形成システムのシステム構成の一例の説明である。
【００１７】
次に図２を参照して、本発明の実施形態における、クライアントＰＣ、認証サーバ、印刷サーバ、情報管理サーバのハードウエア構成の一例について説明する。図２は、本発明の実施形態における、クライアントＰＣ、認証サーバ、印刷サーバ、情報管理サーバのハードウエア構成の一例を示す図である。
【００１８】
ＣＰＵ２０１は、システムバス２０４に接続される各デバイスやコントローラを統括的に制御する。
【００１９】
また、ＲＯＭ２０２あるいは外部メモリ２１１には、ＣＰＵ２０１の制御プログラムであるＢＩＯＳ（ＢａｓＩＣ  Ｉｎｐｕｔ  Ｏｕｔｐｕｔ  Ｓｙｓｔｅｍ）やオペレーティングシステムプログラム（以下、ＯＳ）や、各サーバ或いは各ＰＣの実行する機能を実現するために必要は後述する各種プログラム等が記憶されている。
【００２０】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２１】
また、入力コントローラ２０５は、キーボード（ＫＢ）２０９や不図示のマウス等のポインティングデバイス等からの入力を制御する。ビデオコントローラ２０６は、ＣＲＴディスプレイ（ＣＲＴ）２１０等の表示機への表示を制御する。なお、図２では、ＣＲＴ２１０と記載しているが、表示機はＣＲＴだけではなく、液晶ディスプレイ等の他の表示機であってもよい。
【００２２】
メモリコントローラ２０７は、ブートプログラム、各種のアプリケーション、フォントデータ、ユーザファイル、編集ファイル、各種データ等を記憶するハードディスク（ＨＤＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２３】
通信Ｉ／Ｆコントローラ２０８は、ネットワークを介して外部機器と接続・通信するものであり、ネットワークでの通信制御処理を実行する。例えば、ＴＣＰ／ＩＰを用いた通信等が可能である。
【００２４】
なお、ＣＰＵ２０１は、例えばＲＡＭ２０３内の表示情報用領域へアウトラインフォント展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２５】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されている。以上が、図２に示す、本発明の実施形態における、クライアントＰＣ、認証サーバ、印刷サーバ、情報管理サーバのハードウエア構成の一例についての説明である。
【００２６】
次に、図３を参照して、本発明の実施形態における、複合機１００のハードウエア構成について説明する。図３は、本発明の実施形態における、複合機１００のハードウエア構成の一例を示す図である。
【００２７】
図３において、コントローラユニット３１６は、画像入力デバイスとして機能するスキャナ部３１４や、画像出力デバイスとして機能するプリンタ部３１２と接続する一方、ＬＡＮや公衆回線（ＷＡＮ）（例えば、ＰＳＴＮまたはＩＳＤＮ等）と接続することで、画像データやデバイス情報の入出力を行なう。
【００２８】
ＣＰＵ３０１は、システム全体を制御するプロセッサである。ＲＡＭ３０２は、ＣＰＵ３０１が動作するためのシステムネットワークメモリであり、プログラムを記録するためのプログラムメモリや、画像データを一時記録するための画像メモリでもある。
【００２９】
ＲＯＭ３０３は、システムのブートプログラムや各種制御プログラムが格納されている。ＨＤＤ３０４は、システムを制御するための各種プログラム、画像データ等を格納する。
【００３０】
ＮｅｔｗｏｒｋＩ／Ｆ３０５は、ネットワーク（ＬＡＮ）に接続し、データの入出力を行う。ＭＯＤＥＭ３０６は、公衆回線に接続し、ＦＡＸの送受信等のデータの入出力を行う。
【００３１】
操作部インターフェース（操作部Ｉ／Ｆ）３０７は、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部（ＵＩ）を備え、該表示部に表示されたボタンを、ユーザが押下（指等でタッチ）することにより、各種指示を行うことができる。
【００３２】
外部Ｉ／Ｆ３１８は、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ３１９が外部Ｉ／Ｆ３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。以上のデバイスがシステムバス３０９上に配置される。
【００３３】
ＩＭＡＧＥ  ＢＵＳ  Ｉ／Ｆ３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。画像バス３１５は、ＰＣＩバスまたはＩＥＥＥ１３９４で構成される。画像バス３１５上には以下のデバイスが配置される。
【００３４】
ラスタイメージプロセッサ（ＲＩＰ）３１０は、例えば、ＰＤＬコード等のベクトルデータをビットマップイメージに展開する。プリンタインタフェース（プリンタＩ／Ｆ）３１１は、プリンタ部３１２とコントローラユニット３１６を接続し、画像データの同期系／非同期系の変換を行う。また、スキャナインタフェース（スキャナＩ／Ｆ）３１３は、スキャナ部３１４とコントローラユニット３１６を接続し、画像データの同期系／非同期系の変換を行う。
【００３５】
画像処理部３１７は、入力画像データに対し補正、加工、編集を行い、また、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００３６】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ部３１４に指示を与え、フィーダは原稿用紙を１枚ずつフィードし原稿画像の読み取り動作を行う。
【００３７】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００３８】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００３９】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４０】
カードリーダ３１９は、ＣＰＵ３０１からの制御により、ＩＣカード（例えば、ソニー社のフェリカ（ＦｅｌＩＣａ）（登録商標））内に記憶されている情報を読み取り、該読み取った情報を外部Ｉ／Ｆ３１８を介してＣＰＵ３０１へ通知する。
【００４１】
スキャナ部３１４から読み込んだ画像データはＭＯＤＥＭ３０６により、公衆回線上にＦＡＸ送信したり、公衆回線からＦＡＸ受信した画像データをプリンタ部３１２により出力することできる。以上が、図３に示す、本発明の実施形態における、本発明の実施形態における、複合機１００のハードウエア構成の一例についての説明である。
【００４２】
次に図４を参照して、本発明の実施形態における、各種装置の機能構成の一例について説明する。図４は、本発明の実施形態における、各種装置の機能構成の一例を示す図である。
【００４３】
図４に示す通り、複合機１００は認証制御部４０８、印刷実行指示受信部４０９、印刷実行指示発行部４１０、印刷結果データ管理部４１１、スキャン実行指示受信部４１２、スキャン実行指示発行部４１３、スキャン実行指示管理部４１４、ログイン部４１５、印刷データ受付部４１６、印刷データ格納部４１７、ボックス４１８等から構成されている。
【００４４】
また、複合機１００には認証アプリケーション、プリント制御アプリケーション、スキャン制御アプリケーション、本体制御アプリケーションが利用可能に設定されている。本実施形態においては、各制御部は各アプリケーションによって制御、管理されているものとする。
【００４５】
認証制御部４０８は、ユーザＩＤ、パスワード等のユーザ情報の入力を受け付けた場合に、当該ユーザ情報を認証サーバ１０３に送信し、認証を行う制御部である。印刷実行指示受信部４０９は、情報管理サーバ１０５からの印刷実行指示を受信する受信部である。
【００４６】
印刷実行指示発行部４１０は、印刷実行指示受信部４０９が受信した印刷実行指示に従って、印刷対象のデータと印刷設定情報とを用いて印刷を実行すべく、プリンタ部３１２に印刷指示を発行する指示発行部である。
印刷結果データ管理部４１１は、印刷履歴（印刷ログ・印刷データ）を記憶し、管理する管理部である。
スキャン実行指示受信部４１２は、情報管理サーバ１０５からのスキャン実行指示を受信する受信部である。
【００４７】
スキャン実行指示発行部４１３は、スキャン実行指示受信部４１２が受信したスキャン実行指示に従ってスキャン処理を実行すべく、スキャナ部３１４にスキャン指示を発行する指示発行部である。
スキャン実行指示管理部４１４は、スキャン履歴（スキャンログ・スキャンデータ）を記憶し、管理する管理部である。
【００４８】
ログイン部４１５は、認証制御部の認証結果を受けて、複合機のログイン処理を行う制御部である。印刷データ受付部４１６は、情報管理サーバ１０５や印刷サーバ１０４等から印刷対象データ、印刷ジョブ等のデータを受信、受け付ける受付部である。印刷データ格納部４１７は、印刷対象データ、印刷ジョブを格納する格納部である。ボックス４１８は、複合機１００の保持する印刷データを記憶する記憶領域である。
【００４９】
認証サーバ１０３は、認証管理部４０１、認証情報ＤＢ４２０等から構成されている。認証管理部４０１は、認証情報ＤＢに記憶された認証情報を管理し、複合機１００、クライアントＰＣ１０２等の外部装置から認証要求を受け付けた場合に、認証情報を参照することで、当該要求に対して回答する。
【００５０】
認証情報ＤＢ４２０は、認証情報を記憶するデータベースである。ここでいう認証情報とは、各種装置へのユーザのログイン可否を判断するために用いられるであって、図１１に示す認証情報１１００のような情報である。
【００５１】
ここで図１１を参照して、本発明の実施形態における、認証情報の構成の一例について説明する。図１１は、本発明の実施形態における、認証情報の構成の一例を示す図である。
【００５２】
図１１に示す通り、認証情報１１００は、カードＩＤ１１０１、ユーザ名１１０２、パスワード１１０３等から構成されている、ユーザを識別するためのユーザ識別情報である。また、本実施形態においては、認証情報１１００は認証サーバ１０３の外部メモリ２１１、各種装置にログインするために用いられるＩＣカードに記憶されているものとする。
【００５３】
カードＩＤ１１０１は、ＩＣカードに対応するユーザを一意に識別するための識別情報である。ユーザ名１１０２は、カードＩＤ１１０１に対応するユーザの名前の情報である。
【００５４】
パスワード１１０３は、カードＩＤ１１０１、ユーザ名１１０２を用いてログインするために用いられるパスワードである。以上が図１１の、本発明の実施形態における、認証情報の構成の一例についての説明である。
【００５５】
図４の説明に戻る。印刷サーバ１０４は、印刷データ管理部４０２、印刷データ保持部４０３、印刷データ出力部４０４等から構成されている。印刷データ管理部４０２は、クライアントＰＣ１０２や、情報管理サーバ１０５等の外部装置から印刷ジョブを受信し、印刷データ保持部４０３に記憶して管理する管理部である。
【００５６】
印刷データ保持部４０３は、印刷ジョブを記憶する記憶部である。印刷データ出力部４０４は、複合機１００、情報管理サーバ１０５等からの印刷サーバに対する印刷ジョブの出力（外部装置への送信）要求に応じて、印刷ジョブを外部装置に出力する出力部である。
【００５７】
情報管理サーバ１０５は、データ管理部４０５、データ変換部４０６、印刷データ出力部４０７、ユーザ情報ＤＢ４２１、授業基礎情報ＤＢ４２２、個別授業情報ＤＢ４２３、印刷対象データＤＢ４２４等から構成されている。
【００５８】
データ管理部４０５は、情報管理サーバ１０５内に格納される各種データの対応付け、記憶場所の管理を行っている。また、外部からのデータの受信や、内部のデータの検索、特定を行う。
【００５９】
データ変換部４０６は、印刷対象データを印刷データ出力部４０７、ユーザ情報ＤＢ４２１はユーザ情報を記憶するＤＢである。ここでいうユーザ情報とは、例えば、図１２に示すユーザ情報１２００のような情報である。
【００６０】
ここで図１２を参照して、本発明の実施形態における、ユーザ情報の構成の一例について説明する。図１２は、本発明の実施形態における、ユーザ情報の構成の一例を示す図である。
【００６１】
ユーザ情報１２００は、ユーザ名１２０１、種別１２０２、氏名１２０３、学籍番号１２０４、性別１２０５、生年月日１２０６、学部１２０７、学科１２０８、学年１２０９、入学年月日１２１０、授業コード１２１１、縮小印刷設定１２１２等から構成されている。
【００６２】
ユーザ名１２０１は、図１１のユーザ名１１０２に対応するユーザ名である。種別１２０２は、例えば学生か教員か等のユーザの種別を示す。氏名１２０３は、ユーザの氏名である。
【００６３】
学籍番号１２０４は、ユーザが学生である場合に付与される学籍番号である。講師の場合は講師ＮＯが付与される。当該講師ＮＯは後述する図１３の講師ＮＯ１３０４に対応する。
【００６４】
性別１２０５はユーザの性別である。生年月日１２０６は、ユーザの生年月日の情報である。学部１２０７は、ユーザが所属する学部の情報である。本実施形態においては、１つの学部の情報を挿入するが、２つ以上の学部を登録するようにしてもよい。
【００６５】
学科１２０８は、ユーザが所属する学科の情報である。本実施形態においては、１つの学科の情報を挿入するが、２つ以上の学科を登録するようにしてもよい。学年１２０９は、ユーザが学生である場合に付与される、ユーザの学年を示す情報である。
【００６６】
入学年月日１２１０は、ユーザが入学した年月日を示す情報である。授業コード１２１１は、ユーザが学生である場合は履修、教員である場合は担当している授業の授業コードである。授業コードとは授業を一意に識別するための識別情報である。
【００６７】
縮小印刷設定１２１２は、ユーザ情報１２００の示すユーザに対応する印刷設定である。例えば、複合機１００のＣＰＵ３０１は、が当該ユーザ情報１２００の示すユーザのログインを受け付けた場合、図１０に示すような、印刷データの一覧画面を表示する。
【００６８】
ここで図１０を参照して、本発明の実施形態における、印刷データの一覧画面の構成の一例について説明する。図１０は、本発明の実施形態における、印刷データの一覧画面の構成の一例を示す図である。
【００６９】
印刷データ一覧画面１０００は、図１０に示す通り、「全表示」ボタン１００１、「印刷」ボタン１００２、ユーザ名１００３、通常印刷設定１００４、「縮小印刷」ボタン１００５、縮小印刷設定１００６、「保存」ボタン１００７、期限１００８、授業名１００９、印刷対象データ表示領域１０１０、保存対象資料表示領域１０１１等から構成されている。
【００７０】
「全表示」ボタン１００１は、例えば、印刷対象データの全て、又は、保存対象資料全ての選択項目を表示画面に表示するためのボタンである。例えば、印刷対象データ表示領域１０１０に対応する「全表示」ボタン１００１の押下を受け付けると、保存対象資料表示領域１０１１の表示の代わりに、他の印刷対象データを表示する。つまり、印刷対象データ表示領域１０１０を全画面表示する。
【００７１】
尚、印刷データ一覧画面に表示されるボタンは、情報管理サーバ１０５で生成された画面情報に運込まれたボタンの情報に基づいて表示されているものである、情報管理サーバ１０５を管理するユーザが任意に表示、変更させることが可能である。つまり、複合機１００に設定されるアプリケーションが保持する、固定のボタンとは異なる。
【００７２】
また、例えば、印刷対象データ表示領域１０１０に対応する「全表示」ボタン１００１の押下を受け付けると、印刷対象データ表示領域１０１０の表示の代わりに、他の保存対象資料を表示する。つまり、保存対象資料表示領域１０１１を全画面表示する。
ここでいう保存対象資料とは、例えば、レポート、宿題等の、情報管理サーバ１０５に、授業と対応付けて記憶、保存、提出すべきデータのことをいう。
【００７３】
「印刷」ボタン１００２は、対象の印刷対象データを印刷するためのボタンである「印刷」ボタン１００２の押下を受け付けた場合、複合機１００のＣＰＵ３０１は、デフォルトの印刷設定である通常印刷設定１００４で印刷を実行する。
【００７４】
ユーザ名１００３は、複合機にログイン中のユーザのユーザ名である。「縮小印刷」ボタン１００５は、対象の印刷対象データをデフォルトとは異なる印刷設定で印刷するためのボタンである。「印刷」ボタン１００２と「縮小印刷」ボタン１００５は、印刷実行のためのボタンであると同時に、当該ボタンに対応する印刷設定の選択指示受付部である（印刷設定選択指示受付部）。
【００７５】
「縮小印刷」ボタン１００５の押下を受け付けた場合、複合機１００のＣＰＵ３０１は、縮小印刷設定１００６で印刷を実行する。縮小印刷設定１００６は、複合機１００に設定されているデフォルトの印刷設定である通常印刷設定とは異なる、例えば、ユーザ情報や、印刷対象データ、印刷対象データに対応する授業の情報に対応する印刷設定情報である。
当該縮小印刷設定１００６の情報は、情報管理サーバ１０５の外部メモリ２１１等の記憶領域に記憶されているものとする。
【００７６】
「保存」ボタン１００７は、対応する授業名１００９に対応付けて、スキャンデータを保存するためのボタンである。期限１００８は、当該保存処理を行うことが出来る期限であり、授業名１００９は、当該保存処理によって保存されるスキャンデータが対応付けられる授業の名称である。
【００７７】
印刷対象データ表示領域１０１０は、ログイン中のユーザの印刷可能なデータである印刷対象データ、その選択受付部を設定、表示するための領域である（印刷対象データ選択受付部）。保存対象資料表示領域１０１１は、ユーザにスキャン・保存させるための文書データの名称や、対応する授業名を表示するための領域である。
【００７８】
尚、ここでは、印刷実行のためのボタンは、「印刷」ボタン１００２、「縮小印刷」ボタン１００５の２つであるが、３つ以上にしてもよいし、どちらか１つにしても良いものとする。また、通常印刷、縮小印刷等のそれぞれの印刷方法に対応する印刷設定を変更、編集可能なように画面を構成してもよい。
【００７９】
例えば、各項目の表示部の押下を受け付けることで、項目に対応する設定の候補をプルダウン形式で表示し、当該プルダウン形式で表示した設定の１つを選択する指示を受け付けた場合に、選択された設定を適用するようにしてもよい（印刷設定変更指示受付手段）。
【００８０】
例えば、縮小印刷設定１００６の表示部の押下を受け付けると、“片面モノクロ／１ｉｎ１”や“両面カラー／４ｉｎ１”等、様々な選択候補が表示されるようにする、ということである。
【００８１】
また不図示の「詳細設定」ボタン等を設け、当該「詳細設定」ボタンの押下を受け付けることで、部数、各種印刷設定を編集、変更可能な画面を表示するようにしてもよい。例えば、印刷対象データの選択を受け付け、「詳細設定」ボタンの押下指示を受け付けると、複合機１００のＣＰＵ３０１は、印刷の両面・片面設定、モノクロ印刷・カラー印刷の設定、縮小印刷（２ｉｎ１、４ｉｎ１等）の設定、印刷データの倍率設定、使用する印刷用紙のサイズ設定、印刷部数の設定等がプルダウンで選択、変更できるような画面を表示し、当該画面内の印刷ボタンの押下を受け付けることで、当該画面内で変更された印刷設定、部数の情報を用いて印刷を行う様にしてもよい（印刷設定変更指示受付）。以上が図１０の、本発明の実施形態における、印刷データの一覧画面の構成の一例についての説明である。
【００８２】
図１２の説明に戻る。複合機１００のＣＰＵ３０１は、ユーザ情報１２００の示すユーザのログインを受け付けた場合、図１０に示すような、印刷データの一覧画面を表示する。
【００８３】
縮小印刷設定１２１２は、当該一覧画面における「縮小」ボタン１００５の押下を受け付けることで適用される印刷設定の１つである。以上が図１２の、本発明の実施形態における、ユーザ情報の構成の一例についての説明である。
図４の説明に戻る。印刷データ出力部４０７は、複合機１００からの要求に応じて印刷データを出力する出力部である。
【００８４】
授業基礎情報ＤＢ４２２は図１３に示す授業基礎情報１３００を記憶するＤＢである。また、個別授業情報ＤＢ４２３は、図１４に示す個別授業情報１４００を記憶するＤＢである。印刷対象データＤＢ４２４は、印刷対象データ１５００を記憶するＤＢである。
【００８５】
ここで図１３を参照して、本発明の実施形態における、授業基礎情報の構成の一例について説明する。図１３は、本発明の実施形態における、授業基礎情報の構成の一例を示す図である。
【００８６】
授業基礎情報１３００は、情報管理サーバ１０５の外部メモリ２１１等の記憶領域に記憶されている。授業基礎情報１３００は、授業名１３０１、授業コード１３０２、講師名１３０３、講師ＮＯ１３０４、授業曜日１３０５、時限１３０６、授業開始時刻１３０７、授業終了時刻１３０８、教室名１３０９、教室ＮＯ１３１０、学生人数１３０１１等から構成されている。
【００８７】
授業名１３０１は、授業の名称である。授業コード１３０２は、授業を一意に識別するための識別情報である。講師名１３０３は、授業コード１３０２の指す授業の講師（教員）の氏名である。
【００８８】
講師ＮＯ１３０４は、講師を一意に識別するための識別情報である。授業曜日１３０５は、当該授業が何曜日に実施される授業化を示す情報である。時限１３０６は、当該授業基礎情報１３００の示す授業が何限目に実施されるかを示す情報である。
【００８９】
授業開始時刻１３０７は、当該授業基礎情報１３００の示す授業を開始する時刻である。授業終了時刻１３０８は、当該授業基礎情報１３００の示す授業が終了する時間である。教室名１３０９は教室の名称。教室ＮＯ１３１０は当該教室１３０９を一意に識別するための識別情報である。学生人数１３１１は、当該授業を受講する学生人数を示す。
【００９０】
以上が図１３の、本発明の実施形態における、授業基礎情報の構成の一例についての説明である。図１３は、本発明の実施形態における、授業基礎情報の構成の一例を示す図である。
【００９１】
次に図１４を参照して、本発明の実施形態における、個別授業情報の構成の一例について説明する。図１４は、本発明の実施形態における、個別授業情報の構成の一例を示す図である。
【００９２】
個別授業情報１４００は、情報管理サーバ１０５の外部メモリ２１１等の記憶領域に記憶されている。個別授業情報１４００は、授業名１４０１、授業コード１４０２、開催日１４０３、開始時間１４０４、終了時間１４０５、教室名１４０６、教室ＮＯ１４０７、資料１４０８、資料保存ＮＯ１４０９、コメント１４１０等から構成されている。
【００９３】
個別授業情報１４００は、授業基礎情報１３００に示す授業と、開催日、資料等の対応を示す情報である。例えば情報管理サーバ１０５のＣＰＵ２０１によって、週毎に、新しい個別授業情報１４００が生成され、開催日１４０３、資料１４０８、資料保存ＮＯ１４０９、コメント１４１０が新規生成、更新される。または、既存の個別授業情報１４００の更新が必要な部分のみを更新するものとする。
【００９４】
授業名１４０１は、授業の名称である。授業コード１４０２は授業を一意に識別するための識別情報である。開催日１４０３は、授業コード１４０２の示す授業の開催日である。開始時間１４０４は、授業コード１４０２の示す授業の、開催日１４０３における授業の開始時間である。
【００９５】
終了時間１４０５は、授業の終了時間である。教室名１４０６は、授業が開催される教室名である。教室ＮＯ１４０７は、教室名１４０６の示す教室を一意に識別するための識別情報である。
【００９６】
資料１４０８は、開催日１４０３に開催される当該授業に対応する資料、例えば、次回の授業で使用する資料、次回の授業までに印刷、提出すべき資料、前回の授業で使用した資料等の有無を示す。
【００９７】
本実施形態において、当該資料は、例えば各授業を担当する講師、教員による操作指示によって、クライアントＰＣ１０２等の端末により、情報管理サーバ１０５の外部メモリ２１１等の記憶領域に、授業と関連付けて記憶、登録されるものとする。
【００９８】
この際、情報管理サーバ１０５のＣＰＵ２０１は、ユーザ（講師）より指定された文書、資料のデータを、印刷対象データ、つまり、例えば、当該講師が担当する授業を履修している生徒、学生が印刷対象とするデータ、または、当該講師が印刷する対象のデータとして外部メモリ２１１等の記憶領域に、個別授業情報１４００と対応づけて記憶するものとする。
【００９９】
資料保存ＮＯ１４０９は、授業に対応する資料が存在する場合に、当該資料の識別番号を示す。コメント１４１０は、当該資料が情報管理サーバ１０５に登録されるにあたり、当該資料の登録者であるユーザ（例えば講師）から入力、登録されたコメントである。以上が図１４の、本発明の実施形態における、個別授業情報の構成の一例についての説明である。
【０１００】
次に図１５を参照して、本発明の実施形態における、印刷対象データの構成の一例について説明する。図１５は、本発明の実施形態における、印刷対象データの構成の一例を示す図である。
【０１０１】
印刷対象データ１５００は、情報管理サーバ１０５の外部メモリ２１１等の記憶領域に記憶されている。当該印刷対象データ１５００は、例えば講師により、当該資料を、対応する授業を履修する学生に印刷させるべく前記情報管理サーバ１０５の外部メモリ２１１に登録、記憶される。
【０１０２】
印刷対象データ１５００は、資料保存ＮＯ１５０１、印刷ドキュメント名１５０２、印刷部数１５０３、保存時刻１５０４、保存形式１５０５、バージョン管理１５０６、縮小印刷設定１５０７、カラーモード１５０８、両面設定１５０９、データ場所１５１０等から構成されている。
【０１０３】
資料保存ＮＯ１５０１は、資料を一意に識別するための識別情報である。印刷ドキュメント名１５０２は、情報管理サーバ１０５の外部メモリ２１１に記憶されている資料のデータ名称である。
【０１０４】
印刷部数１５０３は、当該印刷対象データ１５００が印刷されるべき総部数を示す。例えば、当該印刷対象データ１５００に対応する授業の履修人数（学生人数１３１１）等と同じ数が設定される。
【０１０５】
例えば、講師が当該資料の印刷を行う場合に、つまり、複合機１００が種別１２０２＝講師であるユーザ情報に基づくログイン状態になった場合には、複合機の表示画面に表示される前記印刷対象データ１５００の印刷部数は３０部となる。つまり、デフォルトの印刷部数が３０部として表示される。
【０１０６】
また、当該印刷対象データ１５００に対応する授業の履修者である学生のユーザ情報に基づいて、複合機１００がログイン状態になった場合には、当該印刷対象データの部数は１部として表示される。
【０１０７】
また、例えば、学生３人が印刷を終えた場合には、教員であるユーザの印刷データ一覧画面１０００に表示される、当該印刷対象データ１５００の印刷部数を２７部（３０部−３部）に変更するようにしてもよい。
【０１０８】
保存時刻１５０４は、当該資料が記憶されている場所に、当該資料が記憶された（アップロードされた）時間である。保存形式１５０５は、当該資料が保存された形式を示す。例えば、ＰＣから、情報管理サーバにアップロードされた場合には“アップロード”、複合機からのスキャンによって情報管理サーバ１０５に登録された場合には“スキャン”が項目内容として設定される。
【０１０９】
バージョン管理１５０６は、資料のバージョンを示す。例えば、１つの授業に対応する資料であって、同じ資料を基にした資料が複数記憶されている場合に、当該資料を区別するためのバージョンを示す。
【０１１０】
縮小印刷設定１５０７、カラーモード１５０８、両面設定１５０９は、資料（印刷対象データ）毎に対応付けられた印刷設定である。例えば、当該印刷対象データ１５００の示す資料のデータが登録（アップロード）される際に、当該印刷対象データの登録者により入力され、情報管理サーバ１０５の外部記憶メモリに、印刷対象データと対応付けて記憶された印刷設定である。
【０１１１】
縮小印刷設定１５０７は、１枚の印刷紙に何ページのデータを印刷するかを示す。カラーモード１５０８は、印刷モードがカラーかモノクロか等のカラー設定を示す。両面設定１５０９は、両面印刷をするか、片面印刷をするかの印刷設定（面設定）を示す。
【０１１２】
データ場所１５１０は、当該印刷対象データ１５００の記憶場所を示す。以上が図１５の、本発明の実施形態における、印刷対象データの構成の一例についての説明である。
【０１１３】
以上のように、図４の認証情報ＤＢ４２０、ユーザ情報ＤＢ４２１、授業基礎情報ＤＢ４２２、個別授業情報ＤＢ４２３、印刷対象データＤＢ４２４には、それぞれ、認証情報１１００、ユーザ情報１２００、授業基礎情報１３００、個別授業情報１４００、印刷対象データ１５００が記憶されている。以上が図４の、本発明の実施形態における、各種装置の機能構成の一例についての説明である。
【０１１４】
次に図５を参照して、本発明の実施形態における、印刷可能なデータのリストを表示する処理の流れについて説明する。図５は、本発明の実施形態における、印刷可能なデータのリストを表示する処理の流れを示すフローチャートである。
【０１１５】
以下、図５におけるカードリーダ１０１の動作は、複合機１００のＣＰＵ３０１によって制御されているものとする。カードリーダ１０１は（複合機１００のＣＰＵ３０１は）、カード検知し（ステップＳ５０１）、カードに記憶されているＩＤ等の認証情報を読み取る（ステップＳ５０２／ユーザ識別情報取得手段）。
【０１１６】
この時点では複合機１００はログイン状態ではないため、表示画面には、ログインのための情報を受け付けるための画面、例えば、図７のログイン画面７００のような画面が表示されている。ログインが行われると、前述した印刷データ一覧画面１０００に表示が切り替わる。
【０１１７】
ここで図７を参照して、本発明の実施形態における、複合機の認証画面の構成の一例について説明する。図７は、本発明の実施形態における、複合機の認証画面の構成の一例を示す図である。
【０１１８】
図７に示す通り、ログイン画面７００は「キーボード入力」ボタン７０１等を備えている。「キーボード入力」ボタン７０１は、ＩＣカードを用いずに、ユーザ名、パスワード等を入力することで複合機１００にログインするための画面、例えば図８のキーボード認証画面８００のような画面に、画面表示を遷移させるためのボタンである。以上が図７の、本発明の実施形態における、複合機の認証画面の構成の一例についての説明である。
【０１１９】
次に図８を参照して、本発明の実施形態における、複合機のキーボード認証画面の構成の一例について説明する。図８は、本発明の実施形態における、複合機のキーボード認証画面の構成の一例を示す図である。
【０１２０】
図８に示す通り、キーボード認証画面８００は、「ログイン」ボタン８０１、ユーザ名入力受付部８０２、パスワード入力受付部８０３、ログイン先選択受付部８０４等から構成されている。ユーザ名入力受付部８０２は、複合機１００の表示画面に表示されるキーボード等を用いたログインユーザのユーザ名の入力を受け付ける入力受付部である。
【０１２１】
パスワード入力受付部８０３は、複合機１００の表示画面に表示されるキーボード等を用いたログインのためのパスワードの入力を受け付ける入力受付部である。
ログイン先選択受付部８０４は、プルダウンで表示されるログイン先の機器、例えば複合機１００の選択を受け付ける選択受付部である。
【０１２２】
「ログイン」ボタン８０１は、ユーザ名入力受付部８０２、パスワード入力受付部８０３、ログイン先選択受付部８０４にて入力、選択を受け付けた情報を用いてログインを行うためのボタンである。以上が図８の、本発明の実施形態における、複合機のキーボード認証画面の構成の一例についての説明である。
【０１２３】
カードリーダ（複合機１００のＣＰＵ３０１）は、ステップＳ５０２でＩＣカードから読み取った情報を複合機１００に通知し（ステップＳ５０３）、複合機１００のＣＰＵ３０１は当該情報を受け付け（ステップＳ５０４）、当該情報から認証、つまり、複合機１００をログイン状態にするために必要な情報を認証サーバ１０３に送信する（ステップＳ５０５）。
【０１２４】
または、複合機１００のＣＰＵ３０１は、キーボード認証画面８００で入力、選択を受け付けた（ステップＳ５０４／ユーザ識別情報取得手段）情報を、認証サーバ１０３に送信する（ステップＳ５０５）
ステップＳ５０５で送信する情報とは、例えば前述した、図１１の認証情報１１００のような情報である。
認証サーバ１０３のＣＰＵ２０１は、複合機１００より認証情報１１００を受信し（ステップＳ５０６）、認証可否の判定を行う（ステップＳ５０７）。
【０１２５】
認証不可と判定された場合（ステップＳ５０７でＮＯ）、認証サーバ１０３のＣＰＵ２０１は、複合機１００に対して、認証失敗の旨の情報を送信し、複合機１００のＣＰＵ３０１は認証失敗を示す認証結果の情報を受信（ステップＳ５０８）する。そして、認証が失敗し、複合機１００にログインが出来なかった旨を示す情報を表示画面に表示し（ステップＳ５０９）、処理を終了する。複合機１００にログインが出来なかった旨を示す情報とは、例えば、図９の認証エラーダイアログ９００のような情報である。
【０１２６】
ここで図９を参照して、本発明の実施形態における、複合機の認証エラーダイアログの構成の一例について説明する。図９は、本発明の実施形態における、複合機の認証エラーダイアログの構成の一例を示す図である。
【０１２７】
図９に示す通り、認証エラーダイアログ９００はエラー情報表示部９０１等から構成されている。エラー情報表示部９０１は、ログイン処理が不可能であった旨の情報や、ログインエラーの原因の識別番号等を表示する表示部である。以上が図９の、本発明の実施形態における、複合機の認証エラーダイアログの構成の一例についての説明である。
【０１２８】
図５の説明に戻る。ステップＳ５０７において認証可と判定された場合（ステップＳ５０７でＹＥＳ）、認証サーバ１０３のＣＰＵ２０１は認証に成功した旨を示す認証結果の情報を、複合機１００に送信する（ステップＳ５１０）。
【０１２９】
複合機１００のＣＰＵ３０１は認証結果の情報を受信し（ステップＳ５１１）、続いて、認証情報１１００を情報管理サーバ１０５に送信する（ステップＳ５１２／ユーザ識別情報送信手段）。
【０１３０】
情報管理サーバ１０５のＣＰＵ２０１は、当該認証情報１１００を受信し（ステップＳ５１３／ユーザ識別情報受信手段）、当該認証情報に対応するユーザ情報１２００を取得する（ステップＳ５１４）。
【０１３１】
尚、ここでは情報管理サーバ１０５の記憶領域にユーザ情報１２００が記憶されているため、複合機１００のＣＰＵ３０１は、情報管理サーバ１０５に対して認証情報を送信しているが、複合機１００がユーザ情報を記憶、保持している場合、複合機１００に記憶領域内から認証情報に対応するユーザ情報を検索し、ヒットしたユーザ情報を情報管理サーバ１０５に送信することによりステップＳ５１２〜Ｓ５１４の代わりとしてもよい。
情報管理サーバ１０５のＣＰＵ２０１は、ステップＳ５１４で取得したユーザ情報１２００中の種別１２０２が講師か否かを判定する（ステップＳ５１５）。
【０１３２】
種別１２０２が講師であると判定した場合（ステップＳ５１５でＹＥＳ）、当該講師の担当している授業の履修人数（学生人数１３１１）を取得する（ステップＳ５１６）。つまり、ユーザ情報１２００の講師ＮＯ１２０４（図１２においては学籍番号と表示。講師の場合は講師ＮＯ１２０４が登録される。）に対応する講師ＮＯ１３０４を有する授業基礎情報１３００を特定し、それぞれの授業基礎情報の学生人数１３１１を特定する。
または、ユーザ情報１２００の授業コード１２１１を授業コード１３０２に有する授業基礎情報１３００の学生人数１３１１を特定する。
【０１３３】
そして、当該ユーザ情報１２００の示す講師が担当している授業に対応する、印刷対象データ１５００を取得する（ステップＳ５１７）。つまり、ユーザ情報１２００の授業コード１２１１に設定された授業コードと一致する授業コード１４０２を有する個別授業情報１４００を特定し、当該個別授業情報１４００中の資料保存ＮＯ１４０９と対応する資料保存ＮＯ１５０１を有する印刷対象データを特定し、取得する（ステップＳ５１７）
【０１３４】
ステップＳ５１５において、種別１２０２が学生であると判定した場合（ステップＳ５１５でＮＯ）、当該ユーザ情報１２００の示す学生が履修している授業に対応する、印刷対象データ１５００を取得する（ステップＳ５１７）。つまり、ユーザ情報１２００の授業コード１２１１に設定された授業コードと一致する授業コード１４０２を有する個別授業情報１４００を特定し、当該個別授業情報１４００中の資料保存ＮＯ１４０９と対応する資料保存ＮＯ１５０１を有する印刷対象データを特定し、取得する（ステップＳ５１７）。
【０１３５】
情報管理サーバ１０５のＣＰＵ２０１は、ステップＳ５１７で取得した各印刷対象データの印刷設定を判別する（ステップＳ５１８）。つまり、ユーザ情報１２００の縮小印刷設定１２１２を、ユーザに選択させる印刷設定の選択肢の１つ（候補）として特定する。当該印刷設定を選択可能な画面情報を生成し（ステップＳ５１９／画面情報生成手段）、当該画面情報を複合機１００に送信する（ステップＳ５２０／画面情報送信手段）。
【０１３６】
尚、ここではステップＳ５１８において、ユーザ情報１２００の縮小印刷設定１２１２を、ユーザに選択させる印刷設定の１つとして特定しているが、ステップＳ５１８で特定する印刷設定はこれに限るものではない。例えば、印刷対象データ毎に異なる、縮小印刷設定１５０７、カラーモード１５０８、両面設定１５０９を、ユーザに選択させる印刷設定の１つとして特定するようにしてもよいし、また、縮小印刷設定１２１２と、縮小印刷設定１５０７、カラーモード１５０８、両面設定１５０９との両方をユーザに選択させる印刷設定として特定してもよい。
【０１３７】
ステップ５１９における画面情報の生成は、ステップＳ５１４〜ステップＳ５１８で取得、特定した情報に応じて行われるため、例えば、縮小印刷設定１５０７、カラーモード１５０８、両面設定１５０９を、印刷対象データの印刷に際してユーザに選択させる印刷設定として特定した場合、印刷データ一覧画面１０００の縮小印刷設定１００６は、印刷対象データ毎に異なった情報が表示される。また、複合機１００のＣＰＵ３０１が「縮小印刷」ボタン１００５の押下による印刷指示を受け付け、印刷を実行する際も、印刷対象データ毎に設定された印刷設定（縮小印刷設定１５０７、カラーモード１５０８、両面設定１５０９）が適用される。
【０１３８】
一方、ユーザ情報１２００の縮小印刷設定１２１２をユーザに選択させる印刷設定として特定した場合、印刷対象データを印刷する際の縮小印刷の印刷設定はユーザ毎に異なるため、印刷データ一覧画面１０００の縮小印刷設定１００６は、同じ情報を表示しているものとする。複合機１００のＣＰＵ３０１が「縮小印刷」ボタン１００５の押下による印刷指示を受け付け、印刷を実行する際は、ユーザ毎に設定された印刷設定（縮小印刷設定１２１２）が適用される。
【０１３９】
また、前述したように、縮小印刷設定１２１２と、縮小印刷設定１５０７、カラーモード１５０８、両面設定１５０９との両方をユーザに選択させる印刷設定として特定し、当該両方の設定情報を用いて画面情報を生成する場合、例えば、「縮小印刷」ボタンを２つ含んだ画面情報を生成する。
【０１４０】
また、「縮小印刷」ボタンは１つとし、プルダウンで、前記ユーザ毎に設定された印刷設定と、前記印刷対象データ毎に設定された印刷設定と、を選択可能な画面を生成するようにしてもよい。
【０１４１】
これは、ユーザ情報１２００の縮小印刷設定１２１２、印刷対象データ１５００の縮小印刷設定１５０７〜両面設定１５０９が複数設定されている場合も同じである。
【０１４２】
複合機１００のＣＰＵ３０１は、情報管理サーバ１０５より画面情報を受信し（ステップＳ５２１）、当該画面情報に応じた画面を表示画面に表示する（ステップＳ５２２）。以上が図５の、本発明の実施形態における、印刷可能なデータのリストを表示する処理の流れについての説明である。
【０１４３】
次に図６を参照して、本発明の実施形態における、印刷実行処理の流れについて説明する。図６は、本発明の実施形態における、印刷実行処理の流れを示すフローチャートである。
【０１４４】
複合機１００のＣＰＵ３０１は、印刷データ一覧画面１０００に表示された印刷対象データの選択指示を受け付ける（ステップＳ６０１）。そして、印刷設定・部数の変更指示を受け付け（ステップＳ６０２）、印刷実行指示を受け付ける（ステップＳ６０３）。印刷実行指示とは図１０の印刷データ一覧画面１０００の「印刷」ボタン１００２、又は、「縮小印刷」ボタン１００５の押下指示である。
【０１４５】
ステップＳ６０２における、印刷設定・部数の変更指示とは、例えば、図１０の印刷データ一覧画面１０００の、不図示の「詳細設定」ボタンの押下を受け付けることで印刷対象データ毎に編集可能となる、印刷設定、部数、の編集指示の受付である。
【０１４６】
ここでいう印刷設定とは、例えば縮小印刷の度合い（２ｉｎ１か４ｉｎ１か等の設定）、両面印刷・片面印刷の設定、カラー設定、印刷用紙のサイズ設定、印刷倍率の設定等である。
【０１４７】
印刷設定の変更指示が行われず、印刷指示を受け付けた場合（ステップＳ６０３）には、ステップＳ６０２の処理はスキップされる。複合機１００のＣＰＵ３０１は、ステップＳ６０２で指示を受け付けた内容、ステップＳ６０３で受け付けた印刷指示の内容の情報、つまり、どの印刷対象データが選択されたか、また、「印刷」ボタンが押下されたか、「縮小印刷」ボタンが押下されたかを示す情報（選択結果の情報）を情報管理サーバ１０５に送信する（ステップＳ６０４／選択結果送信手段／変更設定情報送信）
【０１４８】
情報管理サーバ１０５のＣＰＵ２０１は、ステップＳ６０４で送信された情報を受信し（ステップＳ６０５／選択結果受信手段、変更情報受信手段、特定情報受信手段）、複合機１００のＣＰＵ３０１がステップＳ６０３で受け付けた印刷指示の対象となった印刷対象データを印刷するために用いる印刷設定情報を取得する（ステップＳ６０６）。
【０１４９】
ここで取得する印刷設定情報とは、ステップＳ６０２で印刷設定・部数の変更指示が成されている場合には、ステップＳ６０５で複合機１００から受信した情報に含まれる印刷設定の情報である。また、ステップＳ６０５で受信した情報が、ステップＳ６０３で「印刷」ボタン１００２の押下を受け付けたことを示す場合は、情報管理サーバ内に記憶されている、不図示の通常の印刷設定情報を取得する。例えば、片面印刷、モノクロ、１ｉｎ１、Ａ４印刷、１部等の設定である。
【０１５０】
また、ステップＳ６０５で受信した情報が、ステップＳ６０３で「縮小印刷」ボタン１００５の押下を受け付けたことを示す場合は、例えば、情報管理サーバ１０５の記憶領域に記憶された、複合機１００にログイン中のユーザのユーザ情報１２００中の縮小印刷設定１２１２を取得する。
【０１５１】
尚、前述したように、当該縮小印刷の設定情報を、印刷対象データ１５００の縮小印刷設定１５０７、カラーモード１５０８、両面設定１５０９から取得するようにしてもよい。
【０１５２】
情報管理サーバ１０５のＣＰＵ２０１は、情報管理サーバ１０５の外部メモリ２１１に記憶され、ステップＳ６０３で受け付けた印刷指示の対象となった印刷対象データをＰＤＦ形式に変更する（ステップＳ６０７）。当該印刷対象データが既にＰＤＦ形式である場合は、ステップＳ６０７はスキップする。
【０１５３】
情報管理サーバ１０５のＣＰＵ２０１は、複合機１００に対して、ステップＳ６０６で取得した印刷設定情報と、印刷対象データの記憶場所を示す情報、例えばデータ場所１５１０の情報とを、ＳＯＡＰメッセージで送信する（ステップＳ６０８）。
【０１５４】
複合機１００のＣＰＵ３０１は、印刷設定情報と、印刷対象データの記憶場所を示す情報を受信し（ステップＳ６０９）、情報管理サーバ１０５に、印刷対象データの取得要求を送信する（ステップＳ６１０）。つまり、ステップＳ６０９で受信した印刷対象データの格納場所に対して印刷対象データを取得すべくアクセスする。
【０１５５】
情報管理サーバ１０５のＣＰＵ２０１は、印刷対象データの取得要求を受信すると（ステップＳ６１１）、印刷対象データを複合機１００に、インターネット回線経由で送信する（ステップＳ６１２）。複合機１００のＣＰＵ３０１は、当該印刷対象データを受信する。つまり、複合機１００のＣＰＵ３０１は、ステップＳ６０９で受信した印刷対象データの格納場所に対して、印刷対象データを取得しにいく。
【０１５６】
複合機１００のＣＰＵ３０１は、ステップＳ６１３で受信した印刷対象データ、つまり、ステップＳ６１０〜Ｓ６１３の処理により取得した印刷対象データに、ステップＳ６０９で受信した印刷設定情報を付加して印刷する（ステップＳ６１４）。つまり、ステップＳ６０９で受信した印刷設定情報の示す印刷設定を適用して、印刷対象データを印刷可能な形式に変更し（例えばＰＤＬ化し）、印刷する（ステップＳ６１４）。
【０１５７】
尚、本実施形態では、データ場所１５１０の情報をＳＯＡＰメッセージで送信しているが、印刷する印刷対象データを直接、複合機１００に送信することも可能である。
【０１５８】
複合機１００のＣＰＵ３０１は、印刷結果を情報管理サーバ１０５に送信し（ステップＳ６１５）、情報管理サーバ１０５のＣＰＵ２０１は、当該印刷結果を受信して（ステップＳ６１６）、外部メモリなどの記憶領域に記憶し、処理を終了する。以上が図６の、本発明の実施形態における、印刷実行処理の流れについての説明である。
【０１５９】
以上説明したように、本発明によれば、管理者が望む印刷設定を、ユーザに煩雑な印刷設定を行わせることなく選択させることの出来る画像形成装置、画像形成システム、その制御方法及びプログラムを提供することが出来る。
【０１６０】
なお、上述した各種データの構成及びその内容はこれに限定されるものではなく、用途や目的に応じて、様々な構成や内容で構成されることは言うまでもない。
【０１６１】
以上、図面を参照して本発明の実施形態について説明したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１６２】
なお、上述した各実施形態およびその変形例を組み合わせた構成も全て本発明に含まれるものである。
【符号の説明】
【０１６３】
１００  複合機
１０１  カードリーダ
１０２  クライアントＰＣ
１０３  認証サーバ
１０４  印刷サーバ
１０５  情報管理サーバ
１１０  ＬＡＮ
【図１】
2013239046.tif 000003
【図２】
2013239046.tif 000004
【図３】
2013239046.tif 000005
【図４】
2013239046.tif 000006
【図５】
2013239046.tif 000007
【図６】
2013239046.tif 000008
【図７】
2013239046.tif 000009
【図８】
2013239046.tif 000010
【図９】
2013239046.tif 000011
【図１０】
2013239046.tif 000012
【図１１】
2013239046.tif 000013
【図１２】
2013239046.tif 000014
【図１３】
2013239046.tif 000015
【図１４】
2013239046.tif 000016
【図１５】
2013239046.tif 000017